(57)【特許請求の範囲】
【請求項１】
枚葉紙に印刷を実行する印刷部と、該印刷部に枚葉紙を供給する給紙部と、印刷部から印刷済みの枚葉紙を排出させる排紙部と、印刷部を構成する版胴上の版に画像を形成すべく印刷機に取付固定された画像形成装置と、多数のインキローラの回転によって版胴上の版にインキを供給するインキ供給部と、インキローラのうちの横振りローラを軸方向に往復運動させる揺動駆動部とを備え、印刷部、給紙部、排紙部、インキ供給部、及び揺動駆動部は、同一のモータから駆動力を受けて作動するよう構成されており、版胴が前記モータから駆動力を受けて回転しながら画像形成装置により版に画像を形成するよう構成されているデジタル印刷機において、
画像形成時に、給紙部、排紙部、インキ供給部及び揺動駆動部への駆動力の伝達が全てクラッチで遮断されるよう構成され、且つ、給紙部、排紙部、インキ供給部及び揺動駆動部のうち、二以上の箇所への駆動力の伝達が一つのクラッチで遮断されるよう構成されている（但し、給紙部、排紙部、インキ供給部及び揺動駆動部のうち二箇所への駆動力の伝達が一つのクラッチで遮断されるよう構成されているものであって、インキ供給部と揺動駆動部の二箇所を一つのクラッチで遮断するものを除く。）ことを特徴とするデジタル印刷機。
【発明の詳細な説明】
【０００１】
【発明の属する技術分野】
本発明は、画像形成装置を備えたデジタル印刷機の改良に関する。
【０００２】
【従来の技術】
この種のデジタルオフセット印刷機の一例を図５を参酌して説明する。該印刷機は、枚葉紙に印刷を実行する印刷部と、該印刷部に枚葉紙を供給する給紙部と、印刷部で印刷された印刷済みの枚葉紙を印刷部から排出させる排紙部とを備えている。
【０００３】
印刷部は、版胴１とゴム胴２（ブランケット胴）と圧胴３とを備えている。版胴１はその外周面に版を備え、ゴム胴２は版胴１上のインキ像をその外周面に転写させ、圧胴３はその外周面に保持した枚葉紙にゴム胴２上のインキ像を転写させる。また、この印刷機は、圧胴３の一回転毎に二色の印刷を行う構成である。従って、一つの圧胴３に対して二つのゴム胴２及び版胴１が圧胴３の周方向に所定の間隔をおいて配置されている。
【０００４】
更に、圧胴３が枚葉紙を保持しながら二回転することで合計四色印刷が行われる。従って、版胴１及びゴム胴２はそれぞれ外周面が二つのセグメントに等間隔に区画され、各セグメント毎に異なる色のインキ像を形成する、いわゆる二倍胴として構成されている。また、版胴１は、セグメント毎に版を備える。圧胴３は、その外周面が等間隔に三つのセグメントに区画され、各セグメント毎に枚葉紙を一枚保持する、いわゆる三倍胴として構成されている。
【０００５】
また、印刷機は、印刷部の版胴１上の版に画像を形成するための画像形成装置４を版胴１毎にそれぞれ備えている。該画像形成装置４は版胴１の外周面から所定間隔離間して固定配置されている。また、版胴１上の版にその色に対応したインキを供給するインキ供給部５は、各版胴１に二つずつ設けられて合計四つ設けられている。
【０００６】
インキ供給部５は、図５では概略的に三角形状で表記されているが、各胴と平行に配置された多数のインキローラを備え、インキローラの回転によって版にインキを供給する。また、インキローラのうちの一本あるいは複数本は、軸方向に往復運動しながら回転する横振りローラ（揺動ローラとも称される）として構成されている。この横振りローラが軸方向に往復運動することにより、インキローラ上のインキ厚を幅方向に均一化して版に供給する。
【０００７】
一方、圧胴３の一方側に配置された給紙部は、圧胴３に対峙するように配置された給紙胴６を備えている。該給紙胴６は、その外周面に保持した枚葉紙を、圧胴３の隔回転毎に圧胴３のグリッパ７に受け渡す。尚、給紙胴６は、その外周面に枚葉紙を一枚保持する、いわゆる単胴として構成されている。
【０００８】
また、圧胴３の他方側に配置された排紙部は、一対の排紙スプロケット８，８により駆動される無端状の搬送チェーン９と、該搬送チェーン９に等間隔毎に固定された排紙グリッパ１０とを備えている。排紙グリッパ１０は、圧胴３から印刷済みの枚葉紙を圧胴３の隔回転毎に受け取る。
【０００９】
印刷機の全体構成は以上のようになるが、印刷機の各箇所は全て同一の駆動源から駆動力を受けて作動する。即ち、印刷部と給紙部と排紙部とインキ供給部５は全て印刷機が備える一つのモータ１１から駆動力が伝達されて同期回転し、また、横振りローラを軸方向に往復運動させる揺動駆動部についても同一のモータ１１から駆動力を受け、モータ１１の回転運動を変換手段によって直線運動に変換して横振りローラを往復駆動する。
【００１０】
モータ１１からの各箇所への駆動力伝達経路は以下のようになっている。即ち、モータ１１から圧胴３、ゴム胴２を介して版胴１に駆動力が伝達され、版胴１から更にインキ供給部５の各インキローラへと伝達されると共に、版胴１から揺動駆動部へも別途伝達される。また、給紙部及び排紙部へは、圧胴３を介してそれぞれ伝達される。即ち、圧胴３に伝達された駆動力は、二つのゴム胴２にそれぞれ伝達される他、別途並列的に、給紙部の給紙胴６と排紙部の排紙スプロケット８にも各々伝達される。従って、印刷時において、これらの部位は全て同期して作動する。
【００１１】
【発明が解決しようとする課題】
ところで、かかる印刷機はデジタル印刷機であり、該印刷機を使用した場合には版交換することなく複数ロット分の印刷を連続して行うことができる。つまり、該印刷機は、画像形成装置４によって印刷機上で版胴１の版に自動的に画像を形成できる構成となっている。該画像形成時には版胴１を回転させる必要があり、特に、版胴１がその外周面に複数のセグメントを有するため、版胴１を高速に回転させる必要がある。
【００１２】
ところが、版胴１を回転させるためモータ１１を作動させると、ゴム胴２や圧胴３のみならず、インキローラ、給紙胴６、排紙スプロケット８も同時に回転し、横振りローラも同時に往復運動することとなる。これらの給紙部、排紙部、インキ供給部５並びに揺動駆動部は、画像形成とは直接関係のない箇所であり、これらが同時に作動するとモータ１１への負担が大きくなるのみならず、版胴１を高速回転できなくなる結果、画像形成に時間がかかる。また、画像形成時における印刷機の振動も大となる。
【００１３】
かかる問題を解消するものとして、画像形成時にモータ１１から給紙部等への駆動力の伝達を遮断する構成について本件出願人は既に出願を行っている。（特願平１１−２０４７９３号）
【００１４】
具体的には、モータ１１から給紙部、排紙部、インキ供給部５及び揺動駆動部への各駆動力伝達経路中にそれぞれクラッチを配置する。即ち、圧胴３と給紙胴６との間、圧胴３と圧胴３側の排紙スプロケット８との間、版胴１とインキローラとの間、版胴１と揺動駆動部との間にそれぞれクラッチを配置し、合計六ヶ所のクラッチによって画像形成時に給紙部等への駆動力の伝達を全て遮断する構成とした。画像形成に無関係な箇所へ駆動力を伝達しないようにすることによって、モータ１１の負担が軽減されて版胴１を高速回転させることができ、画像形成の時間を短縮化できる。
【００１５】
しかしながら、伝達経路毎にクラッチを配置する構成では、クラッチの数が多くなって印刷機を安価に製作することが困難となる。
【００１６】
それゆえに本発明は上記従来の問題点に鑑みてなされ、画像形成時におけるモータの負担を軽減させることによって画像形成の時間を短縮することができる安価なデジタル印刷機を提供することを課題とする。
【００１７】
【課題を解決するための手段】
本発明は、上記課題を解決すべくなされたものであり、本発明に係るデジタル印刷機は、枚葉紙に印刷を実行する印刷部と、該印刷部に枚葉紙を供給する給紙部と、印刷部から印刷済みの枚葉紙を排出させる排紙部と、印刷部を構成する版胴上の版に画像を形成すべく印刷機に取付固定された画像形成装置と、多数のインキローラの回転によって版胴上の版にインキを供給するインキ供給部と、インキローラのうちの横振りローラを軸方向に往復運動させる揺動駆動部とを備え、印刷部、給紙部、排紙部、インキ供給部、及び揺動駆動部は、同一のモータから駆動力を受けて作動するよう構成されており、版胴が前記モータから駆動力を受けて回転しながら画像形成装置により版に画像を形成するよう構成されているデジタル印刷機において、画像形成時に、給紙部、排紙部、インキ供給部及び揺動駆動部への駆動力の伝達が全てクラッチで遮断されるよう構成され、且つ、給紙部、排紙部、インキ供給部及び揺動駆動部のうち、二以上の箇所への駆動力の伝達が一つのクラッチで遮断されるよう構成されている（但し、給紙部、排紙部、インキ供給部及び揺動駆動部のうち二箇所への駆動力の伝達が一つのクラッチで遮断されるよう構成されているものであって、インキ供給部と揺動駆動部の二箇所を一つのクラッチで遮断するものを除く。）ことを特徴とする。
【００１９】
【発明の実施の形態】
以下、本発明のデジタルオフセット印刷機の一実施形態について図１乃至図４を参酌しつつ説明するが、本実施形態の印刷機は、上述した図５のものと胴配列等が同じであるため、同様の構成部分については同一符号を付してその詳細な説明は省略する。
【００２０】
図１には、排紙部を構成する、圧胴３側の排紙スプロケット８が概略的に示されている。該排紙スプロケット８は、左右のフレーム１２，１３に軸受けを介して回転可能に支持されたスプロケット軸１４に取付固定されて一体的に回転する。該スプロケット軸１４には、排紙部を回転駆動するための排紙部駆動用ギヤ１５が、排紙スプロケット８と同軸状に軸受けを介して回転可能に取り付けられている。該排紙部駆動用ギヤ１５は、圧胴３を回転駆動させる圧胴駆動用ギヤ１６と噛合しており、該圧胴駆動用ギヤ１６は、圧胴３に同軸的且つ一体的に設けられ、図示しない印刷機のモータ１１の出力ギヤと噛合している。
【００２１】
また、排紙部駆動用ギヤ１５の軸方向外方には、略円筒状の回転力伝達部材１７がスプロケット軸１４に同軸的且つ一体的に取り付けられている。そして、該回転力伝達部材１７と排紙部駆動用ギヤ１５との軸方向の間に、電磁クラッチ１８が設けられている。該電磁クラッチ１８がＯＮ状態となると、回転力伝達部材１７と排紙部駆動用ギヤ１５とが一体化し、排紙部駆動用ギヤ１５は、回転力伝達部材１７とスプロケット軸１４を介して排紙スプロケット８と一体的に回転する。即ち、モータ１１の駆動力が、出力ギヤ、圧胴駆動用ギヤ１６及び排紙部駆動用ギヤ１５を介して排紙スプロケット８に伝達される。逆に、電磁クラッチ１８がＯＦＦ状態になると、回転力伝達部材１７と排紙部駆動用ギヤ１５が分離して相対回転可能な状態となる。即ち、モータ１１からの駆動力の伝達が電磁クラッチ１８にて遮断され、排紙部駆動用ギヤ１５はスプロケット軸１４に対して空転する。
【００２２】
尚、一端部に回転力伝達部材１７が取り付けられたスプロケット軸１４は、その他端部側が他方のフレーム１３から外方に突出し、その他端部には、駆動伝達用のスプロケット１００が一体的に取付固定されている。この駆動伝達用のスプロケット１００については後述する。
【００２３】
次に、版胴１の周辺部分の構造について説明する。尚、本実施形態における印刷機は二つの版胴１を備えているが、同様の構成であるため、代表的に下流側の圧胴３の周辺部分の構造について説明する。
【００２４】
図２のように、版胴１の一端面には、版胴１を駆動するための版胴駆動用ギヤ２０が版胴１と同軸状に取付固定されている。該版胴駆動用ギヤ２０は、ゴム胴２を駆動するゴム胴駆動用ギヤ２１と噛合し、該ゴム胴駆動用ギヤ２１は前記圧胴駆動用ギヤ１６と噛合している。このように、モータ１１から版胴１への駆動力の伝達は、一方のフレーム１２の内側で行われる。
【００２５】
版胴１は、版胴軸２２と一体的に設けられ、該版胴軸２２は一方のフレーム１２に軸受けを介して回転可能に支持されている。一方のフレーム１２から外方に突出した版胴軸２２の一端部には、略円筒状の回転力伝達部材２３が同軸的且つ一体回転可能に取付固定されている。更に、回転力伝達部材２３より外方位置には、第一ギヤ２４が版胴軸２２に軸受けを介して回転可能に装着されている。
【００２６】
一方、インキ供給部５は多数のインキローラを備え、その多数のインキローラのうちの数本のインキローラは横振りローラとして構成されている。図２には、複数本の横振りローラのうちの一本がその一例として示されている。該横振りローラ２５は、ローラ軸２６と一体的に構成されており、ローラ軸２６はフレーム１２，１３に軸受けを介して回転可能に支持されている。一方のフレーム１２から外方に突出したローラ軸２６の一端部には、横振りローラ２５を回転駆動するためのローラ駆動用ギヤ２７が同軸的且つ一体的に装着されている。該ローラ駆動用ギヤ２７と前記第一ギヤ２４は、合計四つのギヤ２８，２９，３０，３１からなる歯車列によって連結されている。
【００２７】
そして、第一ギヤ２４と回転力伝達部材２３との軸方向の間に、電磁クラッチ３２が設けられている。該電磁クラッチ３２がＯＮ状態となると、回転力伝達部材２３と第一ギヤ２４が連結一体化され、版胴１と同期一体的に第一ギヤ２４も回転する。そして、その回転は歯車列によりローラ駆動用ギヤ２７に伝達されて、横振りローラ２５も版胴１と同期して回転する。逆に、電磁クラッチ３２がＯＦＦ状態になると、第一ギヤ２４が回転力伝達部材２３から分離し、第一ギヤ２４に対して版胴軸２２が空転する。即ち、版胴１から横振りローラ２５への駆動力の伝達が電磁クラッチ３２により遮断された状態となる。
このように、版胴１から横振りローラを含めたインキローラへの駆動力（回転力）の伝達は、一方のフレーム１２の外側で行われる。
【００２８】
一方、他方のフレーム１３の外側には、横振りローラ２５を軸方向に往復運動させる揺動駆動部Ａが設けられている。横転機構とも称されるこの揺動駆動部Ａは、回転運動を直線往復運動に変換する変換手段としてのリンク機構により、モータ１１から受ける駆動力で横振りローラ２５を軸方向に往復運動させる。以下、詳細に説明する。
【００２９】
他方のフレーム１３及び該フレーム１３と平行なサブフレーム４０により回転可能に支持された回転軸４１に駆動伝達用のスプロケット１０１が一体的に装着されている。回転軸４１の外側端部には、回転軸４１と同軸状に円板４２が一体的に装着されている。該円板４２には、回転軸４１の軸心から偏心した位置にロッド支持部４３が外側に向けて突設されており、ロッド支持部４３にはロッド４４の一端部が軸受けを介して回転可能に連結されている。ロッド４４の他端部は、揺動レバー４５のレバー本体４６の先端部に軸受けを介して回転可能に連結されている。該レバー本体４６は、他方のフレーム１３の外面に取り付けられたブラケット４７にその基端部が回転可能に支持されて揺動可能になっており、レバー本体４６の長手方向は、揺動レバー４５の揺動範囲の中心位置において、他方のフレーム１３と略直交している。更に、レバー本体４６の基端部には、レバー本体４６の左右に向けて一対の腕部４８ａ，４８ｂが一体的に延設されている。腕部４８ａ，４８ｂは、レバー本体４６に対して略直交し、揺動範囲の中心位置において他方のフレーム１３に対して略平行である。
そして、一方の腕部４８ａに、他方のフレーム１３から突出しているローラ軸２６の他端部が回転可能に連結されている。また、他方の腕部４８ｂには、他の横振りローラのローラ軸２６の他端部が回転可能に連結されている。
【００３０】
この揺動駆動部Ａの動きは、以下の如きものである。まず、駆動伝達用のスプロケット１０１と共に円板４２が回転するとロッド支持部４３が偏心回転する。このロッド支持部４３の偏心回転により、ロッド４４を介して揺動レバー４５が揺動する。即ち、左右の腕部４８ａ，４８ｂが振り子の如く所定角度範囲内で揺動するため、一方の腕部４８ａに連結された横振りローラ２５と他方の腕部４８ｂに連結された他の横振りローラ２５は、互いに逆向きに往復運動する。
【００３１】
尚、本実施形態では、一つの版胴１に対して二つのインキ供給部５があるため、図３のように、一つのロッド支持部４３に二本のロッド４４が各々回転可能に連結されており、それぞれのロッド４４を介して各インキ供給部５の横振りローラ２５が個別に揺動駆動される。
【００３２】
かかる揺動駆動部Ａへの駆動力は、版胴１からではなく、排紙部におけるスプロケット軸１４から供給される。即ち、図１乃至図３に示すように、他方のフレーム１３の外側において、スプロケット軸１４に装着された駆動伝達用のスプロケット１００と回転軸４１に装着された駆動伝達用のスプロケット１０１との間に無端状の連結チェーン１０２が環装されている。これにより、排紙部と揺動駆動部Ａとは同期して作動するよう構成されており、揺動駆動部Ａへの駆動力の伝達は、排紙部を介して行われる。
【００３３】
従って、図１に示した排紙部における電磁クラッチ１８、即ち、圧胴３と排紙スプロケット８との間に配設された電磁クラッチ１８がＯＮ状態となると、揺動駆動部Ａにも連結チェーン１０２を介して駆動力が伝達され、逆に該電磁クラッチ１８がＯＦＦ状態となると揺動駆動部Ａへの駆動力の伝達も遮断される。このように、下流側の版胴１に対応する横振りローラ２５の揺動駆動部Ａへの駆動力の伝達と排紙部への駆動力の伝達とが、圧胴３と排紙部との間に設けた一つの電磁クラッチ１８によって遮断される。
【００３４】
上流側の版胴１における揺動駆動部Ａへの駆動力の伝達についてもほぼ同様である。まず、図４に示すように、給紙胴６は、フレーム１２，１３に軸受けを介して回転可能に支持された給紙胴軸６０に一体的に装着されている。一方のフレーム１２の内側には、圧胴駆動用ギヤ１６と噛合する給紙胴駆動用ギヤ６１が、給紙胴軸６０に軸受けを介して回転可能に装着されている。該給紙胴駆動用ギヤ６１の外側には、略円筒状の回転力駆動伝達部材６２が給紙胴軸６０に一体的に装着されており、回転力伝達部材６２と給紙胴駆動用ギヤ６１との間に電磁クラッチ６３が設けられている。該電磁クラッチ６３がＯＮ状態となると、回転力伝達部材６２と給紙胴駆動用ギヤ６１は一体回転し、圧胴３から給紙胴駆動用ギヤ６１、回転力伝達部材６２、及び給紙胴軸６０を介して給紙胴６に伝達される。逆に、電磁クラッチ６３がＯＦＦ状態となると、給紙胴６への駆動力の伝達がこの電磁クラッチ６３で遮断される。
【００３５】
また、他方のフレーム１３から外方に突出した給紙胴軸６０の他端部には、駆動伝達用のスプロケット１０３が一体的に装着されている。そして、他方のフレーム１２の外側において、給紙胴軸６０に装着された駆動伝達用のスプロケット１０３と、上流側の版胴１に対応する揺動駆動部Ａの駆動伝達用のスプロケット１０１との間に、下流側の場合と同様に無端状の連結チェーン１０２が環装されている。この連結チェーン１０２により、モータ１１の駆動力が給紙胴６を介して上流側の版胴１に対応する揺動駆動部Ａに伝達される。尚、上述したように、上流側の版胴１及びその周辺の構造は図２に示した下流側のそれと同一構造なるためその説明は省略する。
圧胴３と給紙胴６との間に配設された電磁クラッチ６３をＯＦＦ状態にすることで、上流側の揺動駆動部Ａへの駆動力の伝達も遮断される。このように、上流側の版胴１に対応する横振りローラ２５の揺動駆動部Ａへの駆動力の伝達と、給紙部への駆動力の伝達とは、圧胴３と給紙部との間に設けた一つの電磁クラッチ６３によって遮断される。
【００３６】
以上のように構成された印刷機においては、印刷時には、全ての電磁クラッチがＯＮ状態となり、従って、給紙部、排紙部、インキ供給部５、及び揺動駆動部Ａは、全て印刷部と同期して作動する。一方、画像形成装置４による版への画像形成時においては、全ての電磁クラッチがＯＦＦ状態となる。即ち、上流側の版胴１とインキ供給部５との間、下流側の版胴１とインキ供給部５との間、圧胴３と給紙部との間、圧胴３と排紙部との間に、それぞれ一つずつ設けられた電磁クラッチが全て同時にＯＦＦ状態とされる。従って、インキ供給部５、給紙部、排紙部及び各揺動駆動部Ａへの駆動力の伝達が遮断されるため、モータ１１の負担が減少され、その分版胴１を高速回転させることができる結果、画像形成に要する時間を短縮化することができる。
【００３７】
また、圧胴３と給紙胴６間の電磁クラッチ６３で上流側の揺動駆動部Ａへの伝達も遮断すると共に、圧胴３と排紙スプロケット８間の電磁クラッチ１８で下流側の揺動駆動部Ａへの伝達も遮断する構成としているため、電磁クラッチを合計で二つ削減させることが可能となり、その分、安価に印刷機を制作することが可能となる。
尚、画像形成後においては、版胴１とインキ供給部５との間の電磁クラッチ３２を上流側と下流側共にまずＯＮ状態とし、その後僅かにタイミングをずらせて、圧胴３と給紙部及び排紙部間の各電磁クラッチ６３，１８をＯＮ状態とする。これにより、横振りローラ２５は回転を開始した後に軸方向の往復運動を開始することになり、横振りローラ２５のダメージの発生が抑制される。
【００３８】
尚、本実施形態では、上流側の揺動駆動部Ａと給紙部、及び下流側の揺動駆動部Ａと排紙部とを各々組み合わせて各々一つの電磁クラッチ６３，１８で駆動力の伝達を遮断するようにしていたが、他の組み合わせでもよい。例えば、インキ供給部５への伝達と給紙部や排紙部への伝達とを一つの電磁クラッチで接続、遮断したり、また、インキ供給部５と揺動駆動部Ａとを組み合わせて一つのクラッチで接続、遮断してもよい。
このように、給紙部、排紙部、インキ供給部５及び揺動駆動部Ａのうち、任意の二つを組み合わせ、その二カ所への駆動力の伝達を一つの電磁クラッチで遮断することができる。
無論、給紙部、排紙部、インキ供給部５及び揺動駆動部Ａのうちの三カ所以上への伝達を一つの電磁クラッチで遮断してもよい。
【００３９】
また、上記実施形態では、無端状の連結チェーン１０２を使用しているが、ベルトを使用したり、歯車列を使用したりすることも可能である。
【００４０】
更に、電磁クラッチ以外にも、例えば、エアシリンダによる機械式のクラッチなど、種々のクラッチを使用できる。
【００４１】
また、印刷機の胴配列についても上述したような圧胴３が一つの構成には限定されず、例えば、複数の圧胴３が各々送り胴を介して直列的に配列された構成の印刷部を有する多色印刷機にも対応できる。但し、版胴１が複数のセグメントを有する場合に特に効果が大きい。
【００４２】
尚、上記実施形態では、給紙部、排紙部、インキ供給部５及び揺動駆動部Ａへの駆動力の伝達が画像形成時に全て遮断される構成であったが、全てを遮断する構成に限定されず、これらのうちの二以上の箇所への駆動力の伝達が遮断されるものであればよい。
【００４３】
【発明の効果】
以上のように、一つのクラッチで二以上の箇所への駆動力の伝達を遮断する構成としたので、画像形成に要する時間を短縮化できるうえに、各箇所毎にそれぞれクラッチを設ける場合に比してクラッチの数を減少させることができるという効果を奏する。
【図面の簡単な説明】
【図１】本発明の一実施形態におけるデジタル印刷機の排紙部付近を概略的に示す要部断面図。
【図２】同印刷機の版胴付近を概略的に示す要部断面図。
【図３】同印刷機の要部概略側面図。
【図４】同印刷機の給紙胴付近を概略的に示す要部断面図。
【図５】本発明の説明のための印刷機の概略構成図。
【符号の説明】
１…版胴、２…ゴム胴、３…圧胴、４…画像形成装置、５…インキ供給部、６…給紙胴、７…グリッパ、８…排紙スプロケット、９…搬送チェーン、１０…排紙グリッパ、１１…モータ、１２，１３…フレーム、１４…スプロケット軸、１５…排紙部駆動用ギヤ、１６…圧胴駆動用ギヤ、１７…回転力伝達部材、１８…電磁クラッチ、２０…版胴駆動用ギヤ、２１…ゴム胴駆動用ギヤ、２２…版胴軸、２３…回転力伝達部材、２４…第一ギヤ、２５…横振りローラ、２６…ローラ軸、２７…ローラ駆動用ギヤ、２８，２９，３０，３１…ギヤ、３２…電磁クラッチ、４０…サブフレーム、４１…回転軸、４２…円板、４３…ロッド支持部、４４…ロッド、４５…揺動レバー、４６…レバー本体、４７…ブラケット、４８ａ，４８ｂ…腕部、６０…給紙胴軸、６１…給紙胴駆動用ギヤ、６２…回転力伝達部材、６３…電磁クラッチ、１００，１０１，１０３…駆動伝達用のスプロケット、１０２…連結チェーン、Ａ…揺動駆動部
【図１】
0003725025.tif 000002
【図２】
0003725025.tif 000003
【図３】
0003725025.tif 000004
【図４】
0003725025.tif 000005
【図５】
0003725025.tif 000006